(57)【要約】  波形の測定結果をアイコンとしてディスプレイに表示するための方法および装置。装置によって波形を捕捉し処理することにより、多数の測定結果を取得する。測定結果は主としてヒストグラム、トラッキング測定および/またはトレンド測定結果である。波形および各々がそれぞれの測定結果を示す多数のアイコンがオシロスコープに表示される。各々のアイコンは対応する測定結果の小型レンダリングであり、静的、定期アップデート式、あるいはオシロスコープのプロセッサーのバックグラウンド処理によって算出される実測定データのリアルタイム・プレビューである。ユーザーはアイコンを選択することにより、対応する測定結果をフルサイズでディスプレイに表示することができる。
2005512098.tif 000002
【特許請求の範囲】
【請求項１】
オシロスコープ装置であって、
波形を捕捉するための捕捉ユニット、
前記波形を処理し複数の測定結果を取得するためのプロセッサー、
前記波形および各々が前記複数の測定結果のそれぞれに対応する小型レンダリングである複数のアイコンをディスプレイに表示するためのレンダラー、および
前記複数のアイコンの１つを選択するためのユーザー・インタフェース
を有して成り、
前記レンダラーによって、選択されたアイコンに対応する測定結果がディスプレイに表示されることを特徴とする装置。
【請求項２】
前記複数の測定結果に少なくとも処理波形のヒストグラムが含まれていることを特徴とする請求項１記載の装置。
【請求項３】
前記複数の測定結果に少なくとも処理波形のトラッキング測定結果が含まれていることを特徴とする請求項１記載の装置。
【請求項４】
前記複数の測定結果に少なくとも処理波形のトレンド測定結果が含まれていることを特徴とする請求項１記載の装置。
【請求項５】
前記小型レンダリングによって、対応する測定結果の生のプレビューが提供されることを特徴とする請求項１記載の装置。
【請求項６】
前記複数の測定結果が、ユーザーによって予め定められていることを特徴とする請求項１記載の装置。
【請求項７】
前記複数の測定結果が、ユーザーによって予め定められている一連の保存測定結果から選択されることを特徴とする請求項１記載の装置。
【請求項８】
前記複数のアイコンが、前記ディスプレイの収容スペースに表示されることを特徴とする請求項１記載の装置。
【請求項９】
測定結果をオシロスコープ装置に表示する方法であって、
波形を捕捉するステップ、
前記波形を処理し複数の測定結果を取得するステップ、
前記波形および各々が前記複数の測定結果のそれぞれに対応する小型レンダリングである複数のアイコンをディスプレイに表示するステップ、
前記複数のアイコンの１つを選択するステップ、および
選択されたアイコンに対応する測定結果をディスプレイに表示するステップ
の各ステップを有して成ることを特徴とする方法。
【請求項１０】
前記複数の測定結果に少なくとも処理波形のヒストグラムが含まれていることを特徴とする請求項９記載の方法。
【請求項１１】
前記複数の測定結果に少なくとも処理波形のトラッキング測定結果が含まれていることを特徴とする請求項９記載の方法。
【請求項１２】
前記複数の測定結果に少なくとも処理波形のトレンド測定結果が含まれていることを特徴とする請求項９記載の方法。
【請求項１３】
前記小型レンダリングによって、対応する測定結果の生のプレビューが提供されることを特徴とする請求項９記載の方法。
【請求項１４】
前記複数の測定結果が、ユーザーによって予め定められていることを特徴とする請求項９記載の方法。
【請求項１５】
前記複数の測定結果が、ユーザーによって予め定められている一連の保存測定結果から選択されることを特徴とする請求項９記載の方法。
【請求項１６】
前記複数のアイコンが、前記ディスプレイの収容スペースに表示されることを特徴とする請求項９記載の方法。
【請求項１７】
オシロスコープ装置であって、
波形を捕捉するための捕捉手段、
前記波形を処理し複数の測定結果を取得するための処理手段、
前記波形および各々が前記複数の測定結果のそれぞれに対応する小型レンダリングである複数のアイコンをディスプレイに表示するためのレンダリング手段、および
前記複数のアイコンの１つを選択するための選択手段
を有して成り、
前記レンダリング手段によって、選択されたアイコンに対応する測定結果がディスプレイに表示されることを特徴とする装置。
【請求項１８】
前記小型レンダリングによって、対応する測定結果の生のプレビューが提供されることを特徴とする請求項１７記載の装置。
【請求項１９】
前記複数の測定結果が、ユーザーによって予め定められていることを特徴とする請求項１７記載の装置。
【請求項２０】
前記複数の測定結果が、ユーザーによって予め定められている一連の保存測定結果から選択されることを特徴とする請求項１７記載の装置。
【請求項２１】
前記複数のアイコンが、前記ディスプレイの収容スペースに表示されることを特徴とする請求項１７記載の装置。
【発明の詳細な説明】
【関連出願および特許の説明】
【０００１】
ここに引用することにより以下の特許出願および特許が本明細書に組み込まれたものとする。米国特許第６１５１０１０号明細書（発行日：２０００年１１月２１日）、米国特許第６１９５６１７号明細書（発行日：２００１年２月２７日）、米国特許仮出願第６０/２９４９２１号（出願日：２００１年３月３１日）および米国特許出願公開第０９/９８８４２０号明細書（出願日：２００１年１１月１６日）。
【技術分野】
【０００２】
本発明は各種波形パラメータを示す測定アイコンをオシロスコープに表示するための方法および装置に関するものである。
【背景技術】
【０００３】
従来から、デジタル・ストレージ・オシロスコープ（ＤＳＯ）は、電気信号（波形）を捕捉し、捕捉した信号トレースを時間（Ｘ軸）と振幅（Ｙ軸）とを対比して表示することができる。信号トレース表示の他に、ＤＳＯは捕捉した波形に演算処理を施すことができる。前記処理により捕捉信号の波形全体の変換、およびの特定の特性（特徴、パラメータ、測定値）を判定することができる。従来から、前記特性はＤＳＯスクリーン上の特定の信号トレースに関連した個別の値として表示される。一般に、前記処理は各種表示メニューにより制御されると共に/または事前に選択されている。
【０００４】
特定の捕捉信号（例えば、信号の立ち上り）の１つの特徴を解析する場合、処理済み数値データを表示することができる機能は有用なツールである。今やＤＳＯは多くの複雑な処理を行うことができる。しかし、多数の特徴および/または波形を分析する場合、前記のような単純な表示方法では情報量が多過ぎて効果的に表示することができない。更に、今やＤＳＯは多くの複雑な処理を行うことができる。このため、情報表示の過負荷という問題が生じ、これらの処理結果がオプションとしてユーザーにまったく提示されない場合が多い。
【発明の開示】
【発明が解決しようとする課題】
【０００５】
従って、波形に対し多数の複雑な処理が行える一方、処理結果を効率的に表示できる機能が必要性とされている。本課題の解決策はコスト効率が良いと共に導入が容易であることが好ましい。
【０００６】
マルチタスク・バックグランド処理をサポートするオペレーティング・システムの進歩に加え、デジタル・オシロスコープに最近導入されたグラフィカル・ユーザー・インタフェースにより、今や捕捉波形に対し多数のパラメータ測定および表示を行うことができる。
【０００７】
従って、本発明の目的は、各種波形パラメータを示す測定アイコンをオシロスコープに表示するための方法および装置を提供することである。
【課題を解決するための手段】
【０００８】
本発明の好ましい実施の形態により、各種波形パラメータを示す測定アイコンを表示するオシロスコープ装置が提供される。前記オシロスコープ装置は、波形を捕捉するための捕捉ユニットを備えている。プロセッサーによって波形処理を行うことにより、複数の測定結果が得られる。レンダラーによって波形および各々がそれぞれの測定結果を示す多数のアイコンが表示される。前記装置のユーザー・インタフェースにより１つのアイコンを選択することができる。アイコンが選択されると、レンダラーによって当該アイコンに対応する測定結果がディスプレイに表示される。
【０００９】
本発明の別の態様は、前記複数の測定結果に処理波形のヒストグラム、トラッキング測定および/またはトレンド測定が含まれていることである。各々のアイコンは、対応する測定結果を生でプレビューできる小型レンダリングである。測定結果は操作者によって予め規定することができると共に/または保存されている測定結果のセットから選択することができる。また、前記アイコンはディスプレイの収容スペースに表示することができる。
【００１０】
第２の実施の形態により、各種波形パラメータを示す測定アイコンをオシロスコープ装置に表示する方法が提供される。前記方法は、波形を捕捉するステップ、波形を処理して複数の測定結果を得るステップ、波形および各々が測定結果を示す複数のアイコンをディスプレイに表示するステップ、前記複数のアイコンから１つのアイコンを選択するステップ、および前記選択したアイコンに対応する測定結果をディスプレイに表示するステップの各ステップを有して成ることを特徴とする方法である。
【００１１】
前記第２の実施の形態において、前記複数の測定結果に処理波形のヒストグラム、トラックキング測定および/またはトレンド測定が含まれている。各々のアイコンは、対応する測定結果を生でプレビューできる小型レンダリングである。測定結果は操作者によって予め決定することができると共に/または保存されている一連の測定結果から選択することができる。また、前記アイコンはディスプレイの収容スペースに表示することができる。
【００１２】
本発明のその他の目的および効果は、本明細書および添付図面によって明らかになる。
【発明を実施するための最良の形態】
【００１３】
本発明は以下の説明および添付図面によって完全に理解することができる。
【００１４】
以下、本発明による装置および方法の好ましい実施の形態について、添付図面を参照しながら説明する。
【００１５】
本発明は波形の測定結果をアイコンとして抽出し表示する機能を付加したデジタル・オシロスコープに関するものである。好ましい実施の形態において、前記オシロスコープは、波形を捕捉し処理することにより多数の測定結果を得るデジタル・ストレージ・オシロスコープである。前記測定結果は、一般に、ヒストグラム、トラッキング測定および/またはトレンド測定結果である。前記オシロスコープは波形および各々が各種処理段階における測定結果を示す多数のアイコンを表示する。これらの測定結果はＤＳＯが捕捉した波形を解析するための強力なツールとなる。他の一般のＤＳＯにおいても複雑な処理および表示手続きにより同様の測定を行うことができるが、様々な理由から、殆どのユーザーはこれらのツールの機能をまったく利用していない。本発明により明確かつ正確な方法でオシロスコープのディスプレイ上のこれらの測定結果に直接容易にアクセスすることができ、これらの測定を実行する簡単な方法を定義することができる。
【００１６】
図１は本発明を導入することができるオシロスコープの動作概念図である。データの流れは左から右であり、ユーザーによる自動または手動制御シーケンスは上から下である。図示のように、複数のアナログ捕捉信号Ｃ１が本発明のオシロスコープによって捕捉される。各種プローブおよびその他の捕捉ハードウェア２１１０によって捕捉されたこれらの捕捉信号は、捕捉制御モジュール２１１２によって制御される。ユーザー・インタフェース２１１５を介し、ユーザーによって指定された各種制御変数２１２０に基づき、捕捉した波形に対し各種捕捉制御プロセスが適用される。次いで、各種取得データが前置処理システム２１２５に供給され出力された後、ユーザーによって定義された制御変数２１２０を含んでいる各種後処理機能２１３０によって処理され、処理済データ（結果データ）２１３５が得られる。次いで、後処理が施されたデータは、必要に応じ、２１４０においてエクスポートおよび/またはインポートされ、制御変数２１２０に従って、システム２１４５によって更に処理される。処理が終了した後、各種処理済データは、２１５０において変換され、ディスプレイ２１５５に表示される。
【００１７】
図２は、本発明を導入した図１に示すようなオシロスコープの表示スクリーンの例である表示スクリーン４０を示す図である。波形トレースがディスプレイ１０の上部３分の１に表示されている。測定結果収容スペース２０が前記ディスプレイの中央に表示されている。各々の測定結果を示すアイコン５０が収容スペースに表示されている。各々のアイコンは対応する測定結果を示す小型レンダリングであり、静的、定期アップデート式、あるいは実測定データのリアルタイム（生の）プレビューであってよい。
【００１８】
リアルタイム・モードにおいて、前記アイコンは、オシロスコープのバックグランド処理による測定結果（パラメータ統計値）の“生のプレビュー”である。この点で、前記アイコンは固定イメージ・シーケンスではなく実統計情報によって活性化される。操作者からの前記統計表示要求の有無に関わらず、測定結果が収集され結果テーブルに保存される。例えば、ヒストグラムのような各々の測定結果が、“セル”として前記結果テーブルに保存される。
【００１９】
アイコンのレンダリング（表示）は前記結果テーブルのセルのサイズによって決定される。勿論、特定の測定結果（例えば、ヒストグラム）は任意のスケールおよびビン数を有することができる。例えば、代表的なヒストグラムのビン数は６０であり、スケールは幾つかの任意の母集団（５、５０および５００測定結果）に自動的に決定される。
【００２０】
再度図２において、オシロスコープで実行すべき測定の設定を行うための測定ウィンドウ３０がディスプレイの下部３分の１に表示されている。例えば、測定ウィンドウのラジオボタンによって、統計モードの設定、表示すべき測定結果、およびアイコンの生のプレビューまたは静的レンダリングの選択をすることができる。また、測定ウィンドウ３０から別の各種ウィンドウ（Ｐ１〜Ｐ８）にアクセスすることにより測定を設定し定義することができる。更に、ユーザーによって一連の測定結果を予め決定し保存することができる。
【００２１】
ユーザーはカーソルをクリックすることにより、前記収容スペースに表示されたアイコンを選択し、対応する測定結果をディスプレイにフルサイズで表示することができる。例えば、ヒストグラムのアイコンを選択すると、１つ以上のトレースの代わりにフルサイズのヒストグラムが表示される。別の方法として、図３に示すように、トレースの一方（または両方）の軸に沿ってヒストグラムを重畳することができる。また、カーソルをアイコンの上に持っていくだけで、アイコンおよび/または測定結果（例えば、測定アイコンを対数スケールに変更）の変更/設定を行うことができるポップアップ・メニューを表示することができる。
【００２２】
図３は、ヒストグラム測定のアイコンが選択され、波形トレースのｘ軸およびｙ軸にヒストグラムが重畳されている本発明によるオシロスコープのディスプレイの例を示している。サンプリング時のヒストグラム２２０がスクリーンの下部を横断して表示され、振幅ヒストグラム２２２がスクリーンの右側に縦に表示されている。図示のように、信号の母集団が大きいとヒストグラムは大きくなる。
【００２３】
前に述べたように、アイコンは一般にヒストグラム、トラッキング測定および/またはトレンド測定の結果を表示する。しかし、アイコンは、立ち上り時間、立ち下り時間、振幅、周期、周波数、幅、頂点、ベース、最大振幅、最大値、最小値、デューティ・ファクター、スレッシュホールド超過時間、スレッシュホールド未満時間、デルタ周期（隣接繰り返し周期の差異）、デルタ時間、データ（波形の縦方向の値）等を含む、オシロスコープで測定可能などのような結果も表示することができる。表示可能な測定結果の代表例が図４に示してある。
【００２４】
ヒストグラムによって測定パラメータの分布を視覚的および図解的に表示することにより、操作者の理解を深めることができる。ヒストグラムによって波形の統計的分布のタイプを識別することにより、信号特性が予想通りであることを確認することができる。雑音またはその他不定期かつ非反復ソースもヒストグラムの分布端において観測することができる。また、ジッタおよび雑音を特定し定量化するのに役立つ周波数または振幅も表示されるため、それらを別の処理機能によって除去することができる。
【００２５】
ヒストグラムはパラメータの一連の値を統計的分布としてグラフ表示する。ヒストグラムの棒グラフは区間、即ち、ビンに分割される。各々の棒グラフの大きさは各々のビンに含まれているデータ・ポイントの数に比例する。ビン（および表示波形領域）のデータ・ポイントの数が多ければ多いほど棒グラフは大きくなる。
【００２６】
ヒストグラムに設定可能なパラメータの例が図５に示してある。図示のように、横軸目盛９１０、縦軸目盛９２０、およびヒストグラムに定義されているその他の各種機能を制御することができる。
【００２７】
トラッキングおよびトレンド測定は、測定の進捗および展開を視覚化する方法である。トラッキング測定結果は、主測定によって算出された抽出パラメータであり、同一時間軸上に同時に表示される。これにより、抽出パラメータの特徴を主測定信号に直接関連付けることができる。トレンド測定結果は、時間の経過に伴うパラメータの展開を線グラフとして視覚化する。グラフの縦軸はパラメータの値を示し、横軸は値が取得された順序を示す。別の方法として、横軸を単位時間とすることができる。
【００２８】
本発明の好ましい実施の形態について具体的に説明してきたが、かかる説明は例示を目的としたものであり、特許請求の範囲に記載の主旨および範囲を逸脱することなく、本発明に改良が加えられ得ることは明白である。
【図面の簡単な説明】
【００２９】
【図１】本発明に基づいて構成されたオシロスコープの機能的接続関係を示すシステム系統図。
【図２】本発明によるアイコンを収容する測定結果収容スペースを備えているオシロスコープのディスプレイ・イメージ。
【図３】各々の軸に沿ってヒストグラムを重畳した関数トレースを示すオシロスコープのディスプレイ・イメージ。
【図４】本発明によるアイコンとして表示することができる各種測定結果を示す図。
【図５】ヒストグラムにセットすることができるパラメータを示す図。
【符号の説明】
【００３０】
１０    波形トレース
２０    測定結果収容スペース
３０    測定ウィンドウ
４０    表示スクリーン
５０    アイコン
２２０    サンプリング時のヒストグラム
２２２    振幅ヒストグラム
【図１】
2005512098.tif 000003
【図２】
2005512098.tif 000004
【図３】
2005512098.tif 000005
【図４】
2005512098.tif 000006
【図５】
2005512098.tif 000007
【国際調査報告】
2005512098.tif 000008